(57)【特許請求の範囲】
【請求項１】
ベースバンド回路（ＢＢＳ）と無線周波数回路（ＨＦＣ）との間の通信デバイスにおいて信号を伝送する方法であって、
第１と第２のベースバンド受信段階（ＢＥＳ１、ＢＥＳ２）および、第１と第２の送信段階（ＢＳＳ１、ＢＳＳ２）、からなる該ベースバンド回路と；
第１と第２の無線周波数受信段階（ＨＥＳ１、ＨＥＳ２）および、第１と第２の無線周波数送信段階（ＨＳＳ１、ＨＳＳ２）、からなる該無線周波数回路（ＨＦＳ）と；
第１のベースバンド受信段階（ＢＥＳ１）と第１のベースバンド送信段階（ＢＳＳ１）と、および第２のベースバンド受信段階（ＢＥＳ２）と第２のベースバンド送信段階（ＢＳＳ２）と、が第１の分岐点（ＢＰ１〜ＢＰ４）を介して対応して接続される工程と；
第１の無線周波数受信段階（ＨＥＳ１）と第１の無線周波数送信段階（ＨＳＳ１）と、および第２の無線周波数受信段階（ＨＥＳ２）と第２の無線周波数送信段階（ＨＳＳ２）とが、対応する第２の分岐点（ＨＰ１〜ＨＰ４）によって相互に接続される工程と、；
第１の分岐点（ＢＰ１〜ＢＰ４）はベースバンド回路（ＢＢＳ）内にあって、共通のベースバンド接続（Ｂ１５，Ｂ２６，Ｂ３７、Ｂ４８）として外部に送信され、及び／又は、第２の分岐点（ＨＰ１〜ＨＰ４）は無線周波数回路（ＨＦＳ）内にあって、共通の無線周波数接続（Ｈ１５、Ｈ２６、Ｈ３７、Ｈ４８）として外部に送信される工程と；
送信モードにおいて、第１の中間信号（ＩＳ，ＱＳ）がベースバンド回路（ＢＢＳ）内のメッセージ信号（ＮＳ）から生成されて、無線周波数回路（ＨＦＳ）に転送され、受信モードにおいてメッセージ信号（ＮＳ）が第２の中間信号（ＩＥ，ＱＥ）から得られる工程と；
送信モードにおいては、第１の中間信号（ＩＳ、ＱＳ）が無線周波数回路（ＨＦＳ）において伝送周波数に変換され、受信モードにおいては、第２の中間周波数（ＩＥ、ＱＥ）が受信された信号から得られて、ベースバンド回路（ＢＢＳ）に転送される工程と；
共通の伝送線路（ＧＰ）を用いて、第１の中間信号（ＩＳ，ＱＳ）が第１のタイムスロット（ＺＡＳ）の際に転送され、第２の信号（ＩＥ，ＱＥ）が第２のタイムスロット（ＺＡＥ）の際に転送される工程であって、第１のタイムスロット（ＺＡＳ）と第２のタイムスロット（ＺＡＥ）とは重畳しないことと、
対応する第１の分岐点（ＢＰ１〜ＢＰ４）と対応する第２の分岐点（ＨＰ１〜ＨＰ４）とがそれぞれ、共通の伝送経路（ＧＰ）で送電線の形で接続されていること；  
からなる方法。
【請求項２】
前記第１および第２中間信号（ＩＳ、ＱＳ；ＩＥ、ＱＥ）は夫々、同相成分（ＩＳ、ＩＥ）および直交成分（ＱＳ、ＱＥ）を有することを特徴とする請求項１に記載の方法。
【請求項３】
前記第１および第２中間信号（ＩＳ、ＱＳ；ＩＥ、ＱＥ）が通過される前記無線周波数回路（ＨＦＳ）の各経路は、無線周波数帯域接続（Ｈ１、Ｈ２、・・、Ｈ８）を介して外方ルーティングされ、且つ、上記無線周波数回路（ＨＳＳ）の外側で並列に接続されることを特徴とする請求項１に記載の方法。
【請求項４】
前記第１および第２中間信号（ＩＳ、ＱＳ；ＩＥ、ＱＥ）が通過される前記ベースバンド回路（ＢＢＳ）の各経路は、ベースバンド接続（Ｂ１、Ｂ２、・・、Ｂ８）を介して外方ルーティングされ、且つ、上記ベースバンド回路（ＢＢＳ）の外側で並列に接続されることを特徴とする請求項１に記載の方法。
【請求項５】
前記無線周波数回路（ＨＦＳ）において前記第１中間信号（ＩＳ、ＱＳ）は少なくとも一個の送信ミキサ（ＢＳＳ１）により前記送信周波数に変換され、且つ、前記第２中間信号（ＩＥ、ＱＥ）は少なくとも一個の受信ミキサ（ＨＥＳ１）により受信信号から獲得されることを特徴とする請求項１に記載の方法。
【請求項６】
前記ベースバンド回路（ＢＢＳ）において前記第１中間信号（ＩＳ、ＱＳ）はデジタル変調により生成され、且つ、前記メッセージ信号（ＮＳ）はデジタル・フィルタリングにより前記第２中間信号（ＩＥ、ＱＥ）から獲得されることを特徴とする請求項１乃至５のいずれかに記載の方法。
【発明の詳細な説明】
【０００１】
本発明は、ＷＯ−Ａ−９５３３３５０に開示された如き通信デバイスにおいて各回路間で信号を転送する方法に関する。
通信デバイスは、メッセージを記録もしくは再生すると共に、メッセージから導出されたメッセージ信号を送信もしくは受信する役割を果たす。メッセージは概略的に、音声情報もしくはデータの形態である。適切な通信デバイスに依れば、メッセージ信号は交換され得る。多くの場合、２台の通信デバイス間の接続は、直接的にでは無く、複数の通信デバイスに割当てられた中間局を介して設定される。上記中間局は、メッセージ信号により変調されたキャリア信号を増幅する役割を果たすと共に、通信ネットワークの複数の加入者の内の特定の加入者が接続設定のために選択されるときに切換えを行う役割を果たす。
【０００２】
通常的な通信デバイスはたとえば、車両内で使用され又は携帯デバイスとして使用される移動電話である。而して移動無線方式においては、特定の方式規格に対する規約が定められている。デジタル式の移動無線方式としては、ＧＳＭ（移動通信用グローバル・システム）およびＤＥＣＴ（デジタル強化コードレス電話）が挙げられる。
【０００３】
移動無線用の通信デバイスの基本構造は、Ｓｉｅｍｅｎｓ社の刊行物“通信用ＩＣ、製品概要９６／０７”に開示されており、該刊行物の３３頁には携帯移動電話のブロック図が示されている。故に、斯かるデバイスは送信経路および受信経路を有する。送信経路において、転送されるべきメッセージはマイクロホンにより記録され、ベースバンド・モジュールにより増幅され、且つ、デジタル・メッセージ信号へと変換される。このデジタル・メッセージ信号は、デジタル変調が行われる前にフィルタリングかつ符号化される。変調されたメッセージ信号はそのときにベースバンド内であり、該信号はそこでデジタル／アナログ変換の後で再びフィルタリングされると共に、上記ベースバンド・モジュールと電気的に接続された送信器モジュールへと転送される。上記送信器モジュールは変調済メッセージ信号を無線周波数へと変換し、これがアンテナを介して発信される。
【０００４】
受信経路においては、アンテナを介して受信された信号が受信モジュールで復調されると共に、同相成分および直交成分に分割される。これらの成分は次に、電気接続を介して上記ベースバンド・モジュールへと転送され、そこで各成分は上記送信経路から独立した上記受信経路内で、フィルタリングおよびアナログ／デジタル変換の後で復号化される。復号済信号は再びアナログ信号へと変換され、拡声器に供給される前に増幅される。
【０００５】
前述の如く、上記ベースバンド・モジュールは上記送信器モジュールおよび受信モジュールに対して電気的に接続される。上記送信経路および受信経路に対する各々の場合に、対応する接続が配備されねばならない。
【０００６】
本発明の目的は、通信デバイスにおける個々のモジュール間における電気接続のコストを低減するにある。
該目的は、請求項１の特徴を有する方法により達成される。
本発明は、通信デバイスにおける各モジュール間で信号を転送すべく、送信経路および受信経路の代わりに共通送信経路を用意する。送信されるメッセージ信号と受信されたメッセージ信号との間の相互作用は防止される、と言うのも、メッセージ信号の送信および受信は異なる時間スロットで行われるからである。
【０００７】
本発明は、上記共通送信経路を介して相互に接続される各対応回路における接続を節約し、故に電気接続ラインを節約するという利点を有する。必要な接続が少なくなることから、夫々の回路のハウジングは小さな外部寸法とされ得る。また、小寸の回路が使用されることから、小寸の無線電話を製造することも可能となる。
【０００８】
更なる利点は、接続の個数が減少するので、回路の担体に加えられる半田付け箇所などの接点も減少することである。
上記方法は好適には、送信経路および受信経路に対し、特定の時間スロットの間において必要でない方の部分は高インピーダンスを有すべく切換える。上記送信モードにおいては、上記第２中間信号から上記メッセージ信号を獲得するという上記ベースバンド回路のステージに向けて上記共通送信経路から延びる上記ベースバンド回路の経路は、必要でない。この経路部分は、このステージを上記送信経路から分離すべく、上記送信モードでは高インピーダンスを有すべく切換えられる。
【０００９】
対応して、上記受信モードにおいては、上記共通送信経路と、上記メッセージ信号から上記第１中間信号が生成されるというステージと、の間で延在する上記ベースバンド回路の上記送信経路の部分は、高インピーダンスを有すべく切換えられる。
【００１０】
上記各回路間の接続の標準的な設計態様において、上記各中間信号には同相成分および直交成分が存在する。故に、送信および受信経路が別体的に具現された場合、上記ベースバンド回路および上記無線周波数回路の間には夫々の経路において各々２本の接続ラインが必要とされる。しかし上記共通送信経路が使用された場合には、この目的のために２本の接続ラインだけで十分である。一方、ＧＳＭ規格に依れば、中間信号には同相成分および直交成分が備えられる。もしこれらの成分が差分形態で転送されるとしても、共通送信経路に対して必要なのは４本の接続ラインだけである。しかし、送信および受信経路が別体的に具現されるとすれば、この目的のためには合計で８本もの接続ラインが必要なのである。
【００１１】
更なる有用な設計態様および進展例は従属請求項において特徴付けられる。
以下においては、添付図面中に示された好適実施例を用いて本発明を更に詳述する。対応要素は同様の参照符号が付されている。
図１は、移動無線電話の公知のブロック図からの２個の回路の詳細を示している。この場合にベースバンド回路ＢＢＳはそのベースバンド接続Ｂ１、Ｂ２、・・、Ｂ８により、接続ラインＬ１、Ｌ２、・・、Ｌ８を介して無線周波数回路ＨＦＳの無線周波数帯域接続Ｈ１、Ｈ２、・・、Ｈ８に対して接続される。ベースバンド回路ＢＢＳはベースバンド周波数にてメッセージ信号ＮＳを処理する。上記ベースバンド周波数は、無線周波数回路ＨＦＳにて生ずる無線周波数帯域位置よりも数桁だけ低い。
【００１２】
メッセージ信号ＮＳは、送信が企図されたメッセージを含む信号、および、移動無線電話のアンテナを介して受信されたメッセージに依る信号、の両者を意味するものと理解される。メッセージ信号ＮＳは、通信されるべき音声もしくはデータから導出される。
【００１３】
図１に依ればベースバンド回路ＢＢＳは、夫々が受信経路ＥＰを介して対応する第１および第２無線周波数受信ステージＨＥＳ１、ＨＥＳ２に接続された第１および第２ベースバンド受信ステージＢＥＳ１、ＢＥＳ２を含む。第１および第２無線周波数受信ステージＨＥＳ１、ＨＥＳ２はたとえば受信ミキサを含むが、（図１では不図示の）アンテナを介して受信された無線周波数信号は各受信ミキサにより、ベースバンド周波数を有する受信中間信号へと変換される。第１無線周波数受信ステージＨＥＳ１は受信中間信号の同相成分ＩＥを生成すると共に、第２無線周波数受信ステージＨＥＳ２は直交成分ＱＥを生成する。この場合、上記同相成分はキャリア信号と同相であるのと対照的に、上記直交成分は上記キャリア信号の位相に対して９０°の位相差を有する。
【００１４】
同相成分ＩＥおよび直交成分ＱＥは両者ともに差分信号として、無線周波数回路ＨＦＳの夫々の無線周波数受信ステージＨＥＳ１、ＨＥＳ２から無線周波数帯域接続Ｈ１乃至Ｈ４へと受け渡される。故に、同相成分ＩＥに対しては２つの接続Ｈ１、Ｈ２が必要とされ、同様に直交成分ＱＥに対しても２つの接続Ｈ３、Ｈ４が必要とされる。
【００１５】
各差分信号は２本のラインにより転送されねばならない、と言うのも、その情報は２本のライン間の電位差（ｐｏｔｅｎｔｉａｌ  ｄｉｆｆｅｒｅｎｃｅ）として存在するからである。
【００１６】
尚、上記方法は、差分信号に対しても、固定基準電位を有する信号に対しても等しく有用である。
上記受信中間信号は、無線周波数帯域接続Ｈ１乃至Ｈ４から接続ラインＬ１乃至Ｌ４を介してベースバンド接続Ｂ１乃至Ｂ４へと、成分ＩＥおよびＱＥの形態で転送される。第１および第２ベースバンド受信ステージＢＥＳ１、ＢＥＳ２はたとえば、上記受信中間信号からメッセージ信号を獲得する復調器を含む。この場合に第１ベースバンド受信ステージＢＥＳ１は、上記受信中間信号の内でベースバンド接続Ｂ１、Ｂ２を介して供給された同相成分ＩＥを復調する。第２ベースバンド受信ステージＢＥＳ２は、ベースバンド接続Ｂ３、Ｂ４に接続されると共に、上記受信中間信号の内の直交成分ＱＥを復調する。故に上記受信中間信号は、無線周波数回路ＨＦＳから受信経路ＥＰを介してベースバンド回路ＢＢＳの方向へと転送される。
【００１７】
ベースバンド回路ＢＢＳから無線周波数回路ＨＦＳに向かう逆の方向においては、送信経路ＳＰが延在する。送信経路ＳＰは、第１および第２ベースバンド送信ステージＢＳＳ１、ＢＳＳ２から第１および第２無線周波数送信ステージＨＳＳ１、ＨＳＳ２へと繋がる。上記ベースバンド送信ステージは例えば、ベースバンド周波数を有する搬送波をメッセージ信号ＮＳにより変調する変調器を含む。変調の結果は送信中間信号であり、これも同様に同相成分ＩＳおよび直交成分ＱＳ内に存在する。ベースバンド接続Ｂ５、Ｂ６に接続された第１ベースバンド送信ステージＢＳＳ１は、同相成分ＩＳを生成する。同相成分ＩＳは、接続ラインＬ５、Ｌ６を介して無線周波数帯域接続Ｈ５、Ｈ６に転送される。同相成分ＩＳはこれらの接続により、第１無線周波数受信ステージＨＥＳ１へと回送される。
【００１８】
これに対応して第２ベースバンド送信ステージＢＳＳ２は直交成分ＱＳを生成し、該直交成分ＱＳは、ベースバンド接続Ｂ７、Ｂ８、接続ラインＬ７、Ｌ８および無線周波数帯域接続Ｈ７、Ｈ８を介して第２無線周波数送信ステージＨＳＳ２へと回送される。第１および第２無線周波数送信ステージＨＳＳ１、ＨＳＳ２はたとえば、送信時にアンテナを介して発信される無線周波数位置の周波数へと上記送信中間信号を変換する送信ミキサを含んでいる。
【００１９】
すなわち、送信モードにおいて上記送信中間信号ＩＳ、ＱＳは、ベースバンド回路ＢＢＳから送信経路ＳＰを介して無線周波数回路ＨＦＳへと転送される。受信モードにおいて上記受信中間信号ＩＥ、ＱＥは無線周波数回路ＨＦＳから受信経路ＥＰを介してベースバンド回路ＢＢＳへと転送される。ベースバンド回路ＢＢＳおよび無線周波数回路ＨＦＳは各々、８本の接続Ｂ１乃至Ｂ８およびＨ１乃至Ｈ８を備えている。
【００２０】
図２は、送信モードおよび受信モードに対する共通送信経路ＧＰを使用する配置構成を示している。図１に係る配置構成と同様に図２に係る配置構成は、ベースバンド受信およびベースバンド送信ステージＢＥＳ１、ＢＥＳ２、ＢＳＳ１、ＢＳＳ２を有するベースバンド回路ＢＢＳと、無線周波数受信および無線周波数送信ステージＨＥＳ１、ＨＥＳ２、ＨＳＳ１、ＨＳＳ２を有する無線周波数回路ＨＦＳとを含んでいる。但しベースバンド接続Ｂ１およびＢ５は相互に接続されると共に、ベースバンド回路ＢＢＳｌから共通ベースバンド接続Ｂ１−５として外方ルーティングされる。対応して、Ｂ２はＢ６と組合されて共通ベースバンド接続Ｂ２−６を形成し、Ｂ３はＢ７と組合されて共通ベースバンド接続Ｂ３−７を形成し、且つ、Ｂ４はＢ８と組合されて共通ベースバンド接続Ｂ４−８を形成する。
【００２１】
同様にして、無線周波数回路ＨＦＳにおいては、接続Ｈ１およびＨ５が組合されて共通無線周波数帯域接続Ｈ１−５を形成し、Ｈ２およびＨ６が組合されて共通無線周波数帯域接続Ｈ２−６を形成し、Ｈ３およびＨ７が組合されて共通無線周波数帯域接続Ｈ３−７を形成し、且つ、Ｈ４およびＨ８が組合されて共通無線周波数帯域接続Ｈ４−８を形成する。共通無線周波数帯域接続Ｈ１−４乃至Ｈ４−８は、無線周波数回路ＨＦＳから外方ルーティングされる。共通ベースバンド接続Ｂ１−５乃至Ｂ４−８は夫々、接続ラインＬ１乃至Ｌ４を介して共通無線周波数帯域接続Ｈ１−５乃至Ｈ４−８へと接続される。図１に係る配置構成とは対照的に、上記送信経路および受信経路は別体的にではなく、部分的に共通送信経路ＧＰを介して延在する。
【００２２】
送信中間信号ＩＳ、ＱＳは第１および第２ベースバンド送信ステージＢＳＳ１、ＢＳＳ２から、ベースバンド分岐点ＢＰ１乃至ＢＰ４を介して共通ベースバンド接続Ｂ１−５乃至Ｂ４−８へと受け渡される。ベースバンド接続Ｂ１−５はベースバンド分岐点Ｂ４−１へと接続される。対応して、Ｂ２−６、Ｂ３−７およびＢ４−８はＢＰ２、ＢＰ３およびＢＰ４に接続される。ベースバンド接続Ｂ１−５乃至Ｂ４−８から、送信中間信号ＩＳ、ＱＳは接続ラインＬ１乃至Ｌ４を介して共通無線周波数帯域接続Ｈ１−５乃至Ｈ４−８へと転送される。接続Ｈ１−５乃至Ｈ４−８は夫々、無線周波数帯域分岐点ＨＰ１、ＨＰ２、ＨＰ３およびＨＰ４へと接続される。送信中間信号ＩＳ、ＱＳは各無線周波数帯域分岐点から、無線周波数送信ステージＨＳＳ１、ＨＳＳ２へと回送される。
【００２３】
送信中間信号ＩＳ、ＱＳが各ベースバンド分岐点を介して各ベースバンド受信ステージへと通過したり、無線周波数帯域分岐点を介して無線周波数受信ステージへと通過しない様に、送信モードの間において各ベースバンド受信ステージの入力および各無線周波数受信ステージの入力は高インピーダンスへと切換えられる。
【００２４】
対照的に受信モードの間は、各ベースバンド送信ステージおよび各無線周波数送信ステージが高インピーダンスを有すべく切換えられる。受信モードにおいて受信中間信号ＩＥ、ＱＥは、各無線周波数受信ステージから各無線周波数帯域分岐点を介して各共通無線周波数帯域接続へと受け渡される。此処から受信中間信号ＩＥ、ＱＥは、接続ラインＬ１乃至Ｌ４を介し且つ各共通ベースバンド接続を介して各ベースバンド分岐点へと回送され、最終的には各ベースバンド受信ステージへと受け渡される。
【００２５】
この場合、受信中間信号ＩＥ、ＱＥおよび送信中間信号ＩＳ、ＱＳは異なる時的間隔で転送される。上記受信中間信号が転送される時間スロットＺＡＥにおいて、送信中間信号はベースバンド回路ＢＢＳによりベースバンド分岐点ＢＰ１乃至ＢＰ４には回送されない。また、上記送信中間信号が転送される時間スロットＺＡＳにおいて、受信中間信号は無線周波数回路ＨＦＳにより無線周波数帯域分岐点ＨＰ１乃至ＨＰ４には回送されない。時間スロットＺＡＥおよびＺＡＳは異なる存続時間を有し得るが、重畳してはならない。上記送信中間信号に対する適切な時間スロットＺＡＳが終了するまで、上記受信中間信号に対する時間スロットＺＡＥは開始してはならない。
【００２６】
共通送信経路ＥＰは、ベースバンド分岐点ＢＰ１乃至ＢＰ４から無線周波数帯域分岐点ＨＰ１乃至ＨＰ４へと延在する。
図３は、本発明に係る様式で上記受信および送信中間信号を転送する更なる配置構成を示している。此処でベースバンド回路ＢＢＳは、図２におけるベースバンド回路ＢＢＳと同一の様式で具現される。上記回路から共通ベースバンド接続Ｂ１−５乃至Ｂ４−８は同様に外方ルーティングされる。ベースバンド分岐点ＢＰ１乃至ＢＰ４は、ベースバンド回路ＢＢＳ内に配置される。
【００２７】
図３に係る無線周波数回路ＨＦＳは図１の無線周波数回路に対応する。無線周波数帯域接続Ｈ１乃至Ｈ８は、上記無線周波数回路の外側に存在する。対応する無線周波数帯域接続Ｈ５乃至Ｈ８への無線周波数帯域接続Ｈ１乃至Ｈ４の接続は、無線周波数回路ＨＦＳの外側で行われる。無線周波数帯域分岐点ＨＰ１乃至ＨＰ４もまた、上記無線周波数回路の外側に配置される。それらは同様に、ベースバンド回路ＢＢＳの対応ベースバンド分岐点ＢＰ１乃至ＢＰ４へと接続される。
【００２８】
図１に係る配置構成と比較し、ベースバンド接続Ｂ５乃至Ｂ８が節約される。この配置構成の利点は、本方法を実施する上で無線周波数回路自体の変更が不要なことである。各無線周波数帯域接続は外側で並列に接続される結果、既存の無線周波数回路が変更なしで使用され得る。受信中間信号ＩＥ、ＱＥおよび送信中間信号ＩＳ、ＱＳの転送は、図２に対する説明と同様に行われる。上記受信中間信号が転送される時間スロットＺＡＥは、上記送信中間信号が転送される時間スロットＺＡＳと重畳しない。
【００２９】
図４に示された本発明に係る様式で受信および送信中間信号を転送する配置構成において、無線周波数回路ＨＦＳは図２における無線周波数回路と同様に具現される。共通無線周波数帯域接続Ｈ１−５乃至Ｈ４−８は同様に、当該回路から外方ルーティングされる。無線周波数帯域分岐点ＨＰ１乃至ＨＰ４は、無線周波数回路ＨＦＳ内に配置される。
【００３０】
図４に係るベースバンド回路ＢＢＳは、図１のそれに対応する。ベースバンド接続Ｂ１乃至Ｂ８は、上記ベースバンド回路の外側に在る。ベースバンド接続Ｂ５乃至Ｂ８に対するベースバンド接続Ｂ１乃至Ｂ４の接続は、ベースバンド回路ＢＢＳの外側で行われる。ベースバンド分岐点ＢＰ１乃至ＢＰ４もまた、上記ベースバンド回路の外側に配置される。それらは同様に、無線周波数回路ＨＦＳの対応無線周波数帯域分岐点ＨＰ１乃至ＨＰ４に対して接続される。
【００３１】
図１に係る配置構成と比較し、無線周波数帯域接続Ｈ５乃至Ｈ８が節約される。この配置構成の利点は、本方法を実施する上でベースバンド回路自体の変更が不要なことである。各ベースバンド接続は外側で並列に接続される結果、既存のベースバンド回路が変更なしで使用され得る。受信中間信号ＩＥ、ＱＥおよび送信中間信号ＩＳ、ＱＳの転送は、図２に対する説明と同様に行われる。上記受信中間信号が転送される時間スロットＺＡＥは、上記送信中間信号が転送される時間スロットＺＡＳと重畳しない。
【図面の簡単な説明】
【図１】  通信デバイスにおける２個の回路の公知の配置構成を示す図である。
【図２】  本発明に従う様式で信号を転送する第１配置構成を示す図である。
【図３】  本発明に従う様式で信号を転送する第２配置構成を示す図である。
【図４】  本発明に従う様式で信号を転送する第３配置構成を示す図である。
【図１】
0003718432.tif 000002
【図２】
0003718432.tif 000003
【図３】
0003718432.tif 000004
【図４】
0003718432.tif 000005